(57)【要約】動物又は人間の、外部に開いている自然の又は人工の体管を封止する封止装置であって、装置は該動物又は人間の腸系統の内壁に対して液密性の封止を可能にし、さらに装置は弾力的な材料から作られる。装置はソフトで弾力的であり、したがって肛門反射を解発せず、なおかつ液密性の封止を可能にする。
2005524417.tif 000002
【特許請求の範囲】
【請求項１】
動物又は人間の、外部に開いている自然の又は人工の体管を封止する封止装置であって、該動物又は人間の腸系統の内壁に対して液密性の封止を可能にし、さらに装置は弾力的な材料から作られ、装置の最大圧縮力が4 N未満であることを特徴とする封止装置。
【請求項２】
該装置は封止エレメントを含むことを特徴とする、請求項１に記載の封止装置。
【請求項３】
該封止エレメントが発泡体を含むことを特徴とする、請求項１又は２に記載の封止装置。
【請求項４】
該封止エレメントが疎水性の発泡体を含むことを特徴とする、請求項１〜３のいずれか１項に記載の封止装置。
【請求項５】
該封止エレメントが発泡体に組み込まれた高吸水性粒子を含むことを特徴とする、請求項３又は４に記載の封止装置。
【請求項６】
該封止エレメントがバルーンを含むことを特徴とする請求項１又は２に記載の封止装置。
【請求項７】
該液密性封止性能が弾力的な材料自体によって得られることを特徴とする、請求項１〜６のいずれか１項に記載の封止装置。
【請求項８】
該装置が栓（plug）であることを特徴とする、請求項１〜７のいずれか１項に記載の封止装置。
【請求項９】
洗浄液を投与するためのプローブが該装置に組み込まれていることを特徴とする、請求項１〜７のいずれか１項に記載の封止装置。
【請求項１０】
該封止エレメントが液密性のホイル又は層を含むことを特徴とする、請求項１〜９のいずれか１項に記載の封止装置。
【請求項１１】
該ホイルが装置の層の間に埋め込まれていることを特徴とする、請求項１〜１０のいずれか１項に記載の封止装置。
【請求項１２】
該封止装置の外側表面が該液密性のホイル又は層によって形成されることを特徴とする、請求項１〜１０のいずれか１項に記載の封止装置。
【請求項１３】
該封止装置の内側表面が該液密性のホイル又は層によって形成されることを特徴とする、請求項１〜１０のいずれか１項に記載の封止装置。
【請求項１４】
動物又は人間の、外部に開いている自然の又は人工の体管の液密性の封止のための、請求項１〜１３のいずれか１項に記載の封止装置の使用。
【請求項１５】
動物又は人間の、外部に開いている自然の又は人工の体管を通して液体を投与する間の液密性の封止のための、請求項１〜１３のいずれか１項に記載の封止装置の使用。
【発明の詳細な説明】
【技術分野】
【０００１】
発明の背景
１．発明の属する技術分野
本発明は、動物又は人間の、外部に開いている自然の又は人工の体管を封止するための封止装置に関し、詳しくは特に動物又は人間の自然の又は人工の体の開口を通して洗浄を行うときに動物又は人間の腸系統の内壁に対して液密性の封止を可能にする装置に関する。本発明はさらに、そのような装置の利用に関する。
【０００２】
この装置は、肛門を通される又は吻合部を通される使い捨て洗浄プローブに組み込まれる封止部材として特に適している。
排便自制は、排便をコントロールする能力，放屁をまとまりなく形成される糞便と区別する能力、あるいは睡眠中でも外部の助けなしに排便の自制を維持する能力と定義される。腸系統では、結腸、直腸、及び肛門の神経と筋肉が密接に調整のとれた仕方で一緒に機能して排便自制能力を維持する。何らかの故障があると、例えば、ある人が腸のコントロールんに何らかの障害を生ずると、その人は失禁する可能性が大きくなる。障害は、例えば、脊椎損傷、多発性硬化症（MS）、腫瘍又は腫瘍の転移、糖尿病、二分脊椎、又は特発性便秘、などの結果として起こる。
【０００３】
便失禁に対する外科的治療の他に、医薬や栄養、食事時間、及び排便習慣の調節、浣腸又は洗浄、などが昔から行われてきた治療方法である。浣腸又は洗浄は、完全に健康な人でも何らかの理由により結腸の洗浄を望む場合に利用できる。
【背景技術】
【０００４】
２．関連技術の説明
それらの目的のために、これまでにいろいろな装置が提案されてきた。特に便失禁の治療としての洗浄を行うために用いられる装置の他に、同様の装置が洗浄のために提案されてきた、例えば、放射線検査の一環としての硫酸バリウムの投与のために開発された製品などがある。
【０００５】
従来の装置の一例が米国特許第3,459.175号に開示されている。この装置は、浣腸剤を投与するための膨張可能なバルーンを含んでいる。バルーンは洗浄液を導入するプローブに配置され、バルーンは患者の直腸で肛門の口に近い位置で膨らまされる。それによって、バルーンで形成される円環状のエレメントが肛門を通る腸からの望ましくない流れをブロックする。
【０００６】
しかし、膨張可能なバルーンで得られる現在の浣腸プローブの封止には、いくつか固有の欠点がある。
【０００７】
腸系統に配置されたときに十分に緊密な封止が得られるように、バルーンはしばしば必要以上に大きなサイズに膨らまされるため、腸壁に、かつ意図したよりも又は必要以上に大きな表面に、過剰な圧力が加えられる。さらに、市販されている全ての製品は、バルーンが比較的硬く、非圧縮性である。これは腸及び下方の結腸に反射的な筋肉の収縮を引き起こして、浣腸プローブが肛門の開口を通って押し出されるという結果になりやすい。不愉快な漏れに加えて、バルーンが膨らんだ状態で早く押し出される結果として、直腸の弱い壁に重大な損傷を生ずる恐れがある。また、バルーンが軸方向に膨らむときにプローブの開口をふさいで目的とする腸系統への液体の流れを止めてしまう恐れもある。さらに、バルーンを膨らませすぎて、バルーンが破裂する危険もある。このような状況も、直腸の弱い壁の損傷、S状結腸と直腸の液体が充填した中身の漏れ、そして患者のストレスになる。また、バルーンがリークして、バルーンの空気が漏れ出すこともある。その結果、バルーンが直腸から離脱して。意図しない糞便の漏れが起こることもある。浣腸プローブのユーザーが直腸に何も感覚機能がなく装置が離脱したことに自分では気づかないことがある。最後に、これらの装置で用いられるバルーンは多くの場合ラテックスで作られている。これはラテックス・アレルギーがある患者やその他の人たちにとって問題になる。
【０００８】
小さな子供で洗浄を行わなければならない場合、今日市販されている装置はかなり大きいので別の問題が生ずる。すなわち、小さな子供たちと親たちの両方に向いている装置が比較的少ないということである。
【０００９】
上記の製品に関する別の欠点は、使い捨て製品として使用するには高価すぎるという点である。専門家たちによると、これらの製品は同じ患者で、間にクリーニングをはさんで何回か使用されるという。必要なクリーニング・ステップに時間がかかるという以外に、使用の間の貯蔵で環境を汚染する危険があることは言うまでもなく、ユーザーへの感染の危険は使い捨て製品を使用する場合に比べてずっと大きい。
【００１０】
肛門を通して洗浄するための使い捨てキットはWO 98/23312に記載されている。このキットは、洗浄媒体の容器を含み、腸系統に浣腸剤を投与するためのカテーテル又はプローブに接続される。プローブには、浣腸液を注入するさい腸系統にプローブを固定する固定部材が備えられている。固定部材は、発泡体又は整形された弾性材などの圧縮性材料で作られる。固定部材は圧縮された状態で提供され、水分に接触すると溶解するPVAフィルムが巻かれている。一例として、固定部材はポリウレタンで作られ、洗浄のさいに空気が通過できる開放構造を有する。発泡材を用いると、腸壁とプローブの固定部材のゆるやかな接触が得られ、開放構造が固定部材の圧縮性を好ましい形で強化するが、洗浄の間に液体がしみ出すという欠点があって、洗浄媒体と液体の腸内容物が漏れ出す恐れがある。
封止装置の上記の問題を解決して、液密性の封止性能を与え、漏れを防止し、肛門反射を解発して装置が押し出されることを防止したソフトで圧縮性を有する封止装置を提供することが本発明の目的である。
【発明の開示】
【００１１】
発明の要約
本発明は、上記の問題を解消して液密性の封止を可能にする装置を開示する。
本発明によると、封止装置、特に動物又は人間の、外部に開いている自然の又は人工の体管を封止する封止装置が提供される。この装置は弾力的な材料、例えば、圧縮性の開放気泡又は独立気泡の発泡体、から作られるか、又はソフトで弾力的なバルーンの形であり、オプションとして封止エレメントを組み込む又は含むことができる。装置は、最大圧縮力が4 N未満、さらに好ましくは3.5 - 0.2 Nの間、さらに好ましくは3.0 - 0.25 Nの間、最も好ましくは2.0 - 0.25 Nの間、であって、装置は十分に弾力的で肛門反射を解発することなく、また結腸に圧力潰瘍などの損傷を生ずることがない。
【００１２】
本発明はさらに、体開口の排便自制となる封止栓としての封止装置の利用に関する。さらに、腸系統へ液体を投与するためのプローブを組み込むと、この装置を使用することによって動物又は人間の自然又は人工の体管を通して洗浄を行う場合の漏れを確実に防ぐことができる。
【発明を実施するための最良の形態】
【００１３】
発明の詳細な説明
この装置は、栓としての形態と目的を有することもあり、腸系統で使用される装置、例えば、腸系統に液体を投与するためのプローブ、に組み込まれた部分であることもある。プローブの挿入を容易にするためには、その直径が小さいことが好ましく、圧縮された封止エレメントが巻かれたプローブ全体の直径が小さいことも好ましい。それによって、容易に挿入でき、簡単に使用できるプローブが得られる。使用するとき、開放気泡発泡体から作られた封止装置の気泡は、腸の中身又は投与された液体から液体を吸い込んで膨張する。ソフトで弾力的なバルーンを用いる場合、バルーンは挿入後に膨らまされる。どちらの場合も、従来の封止装置と比べて封止エレメントのボディーははるかにしなやかなので、膨張タイプであってもなくても、装置を用いることで腸壁に装置が及ぼす亜鶴代区は低く、腸系統に栓又はプローブを押し出すような収縮が誘発される危険はきわめて小さい。
本発明は、動物又は人間の外部に開いている体管を封止する封止装置に関し、装置は動物又は人間の腸系統の内壁に対して液密性の封止を可能にするものであり、さらに装置は弾力的な材料から作られ、装置の最大圧縮力は4ニュートン未満である。
【００１４】
本発明の装置のソフトな性質は、材料の選択、又は装置の物理的な適合、又はその両方の特徴の組み合わせによって得られる。
装置は封止エレメントを含むこともできる。
本発明のある好ましい実施の形態では、封止エレメントは発泡体を含む。
【００１５】
装置の実質的にドーム状の曲率は、腸の壁との適合性をさらに高める。多少とも強調された装置の傾斜（inclination）を選んで封止の効果を最適化することができるし、装置の半径方向のサイズも同様である。さらに、圧縮された状態で半径方向の拡がりができるだけ小さい封止装置を実現するために、封止装置のいろいろな形がWO 98/23312に提案されており、壁の薄い装置が好ましいが、特に封止エレメントが非常に圧縮性が大きい材料で作られる場合、もっとかさばる形の封止装置も考えられる。最後に、装置の本体部分の曲率と少し異なる曲率を与えるカラーの形の終端部も望ましいことがあり、腸壁に対して良い封止効果が得られる可能性がある。
【００１６】
さらに、封止エレメントのソフトで適合し易い特徴は、主にそれを作る材料の性質と形によって与えられる。開放気泡の発泡体で作られた装置は、望ましいソフトさと適合性をもつ装置になる。同時に、発泡体は十分な圧縮性があり、挿入を容易にするために−望ましい小さく快適な圧縮された形で使用できる装置を提供することが可能になる。このような開放気泡の発泡体の材料としては、例えば、PU、シリコーン、PVC、及びPEがあげられる。本発明のある好ましい実施の形態では、発泡体はポリウレタン（PU）である。しかし、プローブはいろいろな材料とそれに見合った製造方法で作ることができる。材料としては、例えば、TPE, SEB, SEBS, 例えばKratonTM,PU又はPEをベースとするいろいろなPE, PU発泡体、又はシリコーン、ラテックス、又は合成ゴムなどの他の材料、があげられる。それに応じて製造方法も、例えば、ダイカスト、金型鋳造、又はパンチング、などがある。
【００１７】
前述のように、装置は、例えば、体の水分に触れたときに、すなわち腸系統の内部に入れられたときに、溶解して装置の膨張を可能にする薄いフィルムでラップされた圧縮された状態で使用に供することができる。このような薄い溶解するフィルムの材料の一例はPVAである。
【００１８】
あるいはまた、装置は非圧縮状態で使用に供することもある。封止エレメントのソフトで適合し易い構造のために、ドーム状の形の封止エレメントは容易に挿入できる。特に封止装置が肛門を通して挿入するプローブの一部を成している場合、装置が挿入のさいに反転できることが挿入プロセスを容易にし、封止エレメントを圧縮された形でラップする薄い溶解するフィルムを余分なものにする。装置は、挿入のために容易に挿入できる形で提供することもできるし、反対の形で提供し、その場合は挿入の前に封止装置を適当に反転させることもできる。
【００１９】
装置の外側の表面、すなわち、使用時に腸系統への自然の又は人工の開口に面する表面、に多少ともカーブしたプロフィールを選ぶことによって、当業者であれば、装置を使用するさい望ましい段階で装置を前後に反転させる可能性を最適化できる。封止エレメントのセンターラインに近いラジアル・カーブのいろいろな曲率が封止エレメントの反転にいろいろな可能性を与える。材料の厚さを調節することによっても、装置の所望の特性をさらに最適化できる。
【００２０】
封止エレメントに液密性（液体を漏らさない性質）を持たせることは、封止装置に液体を漏らさないホイル又は層を組み込み、それが腸又は洗浄の液体が封止装置を通過することを防ぐようにして実現される。このホイル又は層は、装置の両側又は片側で、例えば、装置の内側の面で、使用時に腸系統の中身に面する表面を、又は例えば、装置の外側の面で、使用時に腸系統の自然な又は人工の開口に面する表面を、形成できる。
【００２１】
このホイル又は層が封止装置の内側表面を形成する場合、装置の圧縮性材料によって得られる滑らかな性格の封止性質を十分に活用できるようになる。他方、ユーザーの体の開口部に面する封止装置の外側表面として設けられる場合、封止装置の取り出しが、このホイル又は層によって得られる比較的滑らかな表面性質によって容易になる。
【００２２】
本発明のある実施の形態では、このホイル又は層が装置の内部の２つの圧縮性材料の層の間に埋め込まれ、それによって圧縮性材料のまとまり（anchoring）が良くなる。選ばれた圧縮性材料が比較的まとまりにくい性質のものである場合、これは望ましいであろう。このようなホイル又は層の材料の例としては、例えば、PU, シリコーン、TPE、ラテックス、又はポリオレフィンなどの材料から作られるプラスチック又は疎水性の不織布があげられる。
【００２３】
封止エレメントに液体を漏らさない性質（液密性）を付与することは、疎水性を有する発泡体を用いて実現することもできる。疎水性は発泡体自身の固有の性質として得られる。このような疎水性発泡体の例としては、PU、シリコーン、又はPVCをベースとする発泡体がある。あるいはまた、十分な疎水性を有する発泡体は、発泡体を製造するときに疎水剤を組み込むことによって、又は発泡体を疎水剤で処理することによっても得られる。実用になる疎水性は、材料又は疎水剤の疎水性と発泡体の十分小さな気泡サイズとの組み合わせで得られる。腸系統の液体又は固体の内容物によって液体圧力に実質的に耐えられる発泡材料を記述しようとすると、そのような発泡体と疎水剤の組み合わせは多数になる。例えば、上記の発泡材料から選ばれる発泡体とシリコーン表面活性剤や発泡体の表面張力を高めるいろいろな石鹸その他の表面反応剤の組み合わせであってもよい。
【００２４】
装置はいくつかの隣り合う層、例えば、発泡物質やその他の適当な物質の層から作ることができるが、少なくとも１つの層は装置に液密性という特徴を付与することが必要であることは言うまでもない。 封止エレメントに液密性を付与することは、発泡体に高吸水性粒子を組み込むことによっても実現できる。好ましい高吸水性材料の１つはポリアクリル酸ナトリウムである。その他に、吸水材は無機材料、例えば、ゲル、又は有機化合物、例えば、架橋ポリマー、又はアルギン酸塩、網状カルボキシメチルセルロース、グラフト・スターチ、天然又は改質ポリサッカライド、又はアクリルアミド、アクリロニトリル、又はポリアクリレートの合成誘導体、から成る群から選択することができる。腸系統からの又は投与された洗浄液又は浣腸液からの液体と接触すると、高吸水性粒子は膨張して発泡体の気泡を閉じ、液体を漏らさないバリアを形成する。この現象は、吸水材製品の専門分野では高吸水材の使用に関連した望ましくない結果であることが知られており、吸水材製品（パッド、おむつ、等）の上層でいわゆるゲル・ブロッキングが起こると意図したような製品全体にわたる液体の分散が阻害されるときに問題が生ずる。
【００２５】
本発明による装置は、いくつかの層から作ることができるが、そのうち少なくとも１つは上記の１つ以上の仕方によって装置に液密性を付与することが必要になる。
【００２６】
使用後の装置の取り出しを容易にするために、装置は取り付けられたひも、又はその他の当業者には公知の別個の引き出し手段を設けることが好ましい。これは特に栓タイプの装置に関連しており、そのようなひも又は同様の引き出し手段を取り付けるいくつかの方法がヨーロッパ特許EP 075934 B1に記載されている。プローブの一部を成している場合、プローブ自身が装置を引き出すための手段になることが好ましい。
【００２７】
本発明のある実施の形態では、装置はバルーンを、好ましくは膨らませることができるバルーンを含む。装置はさらに、バルーンを膨らませる手段を含む。
バルーンは実質的に標準的なFoleyカテーテルの形でアッテヨイガ、バルーンの材質としてはもっと弾力的な材料が用いられる。シリコーンがバルーンの材料として用いられる場合、そのシリコーンはショア（A）硬度35よりもソフトなタイプであることが好ましい。天然ゴム、ラテックス、ネオプレン、又は熱可塑エラストマー（スチレン−エチレン−ブタジエン−コブロックポリマー、例えば、Kraton K（商標））も使用できる。
【００２８】
膨らましたときの装置の直径は、好ましくは30 - 90 mmの範囲、さらに好ましくは50 - 70 mmの範囲、もっとさらに好ましくは65 - 55 mmの範囲、にある。設計では、膨張したバルーンのサイズは直径が約60mmでバルーンと腸壁の間の良好な封止を保証できることが最も好ましく、膨張したバルーンは、便器又は腸壁からの圧力によってバルーンが非対称に変形しても浣腸液の通路をふさがないようにする。
【００２９】
上述したバルーン破裂の危険を回避するために使用するバルーン材料は、定められたバルーン膨張の少なくとも3倍の膨張に耐えることができることが好ましい。
そのような材料は、例えば、Dow Corning, NuSil, 又はRhodiaから供給されている多くのポリシロキサンに見出される。好ましい実施の形態は、Dow Corning からのSilastic （登録商標）Q7-4720から作られる。
【００３０】
好ましい実施の形態の記述
次に、本発明の好ましい実施の形態を図面を参照してさらに詳しく説明する。  本発明の第１の実施の形態が図１に示されている。カテーテル状のプローブ１がユーザー４の腸系統６に挿入され、肛門の開口３の近くに位置しているのが示されている。腸系統６の壁５に対して封止する封止エレメント２がプローブ１に組み込まれており、プローブ１の空洞７と開口８を通してユーザー４の腸系統６の空洞に洗浄液を導入するときに液体を漏らさない封止を可能にしている。
【００３１】
図２a−２eは、いくつかの好ましい形態の封止装置、ならびに封止装置材料と封止エレメントのいくつかの組み合わせを示している。
図２aに示された装置２aの外側表面１４には液密性のホイル層１１が設けられており、図２bに示された装置２bでは液密性の層が内側表面１５に設けられている。図２cでは、液密性の層１１が装置２cのそれぞれ外側表面１４と内側表面１５に面する同じ又は異なる材料の２つの層１６と１７の間に液密層１１が組み込まれている。
【００３２】
図２dは、全体が疎水性材料で作られた装置２dを示しており、図２eは、封止エレメントが発泡体に組み込まれた高吸水性粒子１８によって形成されている装置２eを示している。
【００３３】
圧縮性材料と液密性の封止エレメントの組み合わせはさらに多くのものが可能であり、特定の用途のための異なる好ましい実施の形態が可能である。
さらに、図２aから２eまでに示されているように、封止エレメントのrelact状態における形と半径方向サイズ、曲率、傾斜と厚さ、は変化することができる。特に、図２a, ２b, 又は２cに示されている装置は、封止装置の本体部１３の曲率から少し異なる曲率を有するカラーの形の終端部１２を備えている。
【００３４】
図３は、ユーザーの肛門の開口近くに位置した本発明による封止装置を示している。封止装置２は、取付部１０による引き出し手段９を備えている。
図４は、ユーザー４の腸系統６へ肛門の開口を通して挿入するときのドーム型封止装置２の反転した形態を示している。封止装置はカテーテル状のプローブ１を取り巻いている。
【００３５】
図５a-５cは、封止エレメントの外側プロフィールのいろいろな形態を示している。ラジアル・カーブ２０は装置のセンターラインの近くに位置し、ドーム型封止装置の２つの形態の間の反転を容易にしている。
【実施例】
【００３６】
方法
以下では、利用の方法を実施例によって詳しく説明する。
実施例１
肛門洗浄のための本発明の装置の利用
好ましくは、プローブ挿入を容易にするために、肛門及び挿入される製品の少なくとも最初の部分、及びオプションとして肛門通路が、ワセリンなどの潤滑剤で潤滑された。プローブは肛門通路を通して挿入され、腸系統の下方部分である“ampulla recti”に配置された。プローブをどこまで挿入するかを示すために、プローブにマーク又はストップを設けることができる。挿入すると、“ampulla recti”の高い温度と水分のために、圧縮された封止装置を取り巻いていたPVAH層が溶解してプローブが膨張する。次に、洗浄媒体、好ましくは水道水、が容器から腸へポンプで送り込まれた（普通、0.5-2.5 l、好ましくは0.75-1 l、という量）。所望の量の水が全部ポンプで腸系統に送り込まれると、プローブがただちに、又はオプションとして1-5分後に、取り出された。腸の内容を空にすることは、次の15-45分間にわたって腸系統の反射作用によって行われる。
【００３７】
上の実施例で説明したように圧縮されてPVAH層で巻かれた形でない本発明による封止装置を含むプローブの別の実施の形態は次のように用いられた。ドーム型を圧縮して挿入するのではなく、これは肛門の管に反転された形で挿入された。所望の深さまで挿入されるとプローブが外側方向に注意して小さな力で引かれ、それによって封止エレメントが反転してドームの形態に戻った。形態の変化は、引く力と、封止装置の縁に腸系統の壁から加わる抵抗との組み合わせによって引き起こされた。使用後、プローブは上述のように注意深く取り出された。
【００３８】
実施例２
装置の弾力性の決定
本発明の装置の重要な特徴は、封止エレメントの弾力性又はソフトさである。いろいろなタイプの直腸プローブの相対的な弾力性は次のように決定された：
標準的な引っ張り強度試験装置が２枚の平らなプレートと共に取り付けられた。プローブは、メーカーの指示に従って膨らまされ（バルーン）、又は水によって膨張され（発泡体）、プレートの間に挿入された。膨らまされた状態でのプローブのサイズについてメーカーの指示がない場合、直径60 mmまでの膨張がテストで用いられた。引っ張り強度試験装置を動作させて、バルーン／発泡体を10 mmに圧縮した。力／mmダイアグラムが記録され、最大の力（N）が達成された。各プローブについてテストは３回繰り返された。
【００３９】
表１は、本発明の２つの実施の形態、バルーン及び発泡体装置、と市販されているいろいろな周知のプローブについて決定された最大圧縮力を示す。
【００４０】
【表１】
2005524417.tif 000003
【００４１】
表から分かるように、本発明による装置は、当業者に公知のプローブに比べて実質的に小さな圧縮力しか必要とせず、したがって、より弾力的である。
【００４２】
実施例３
封止装置の製造
以下では、封止装置を製造する方法を実例によってさらに詳しく説明する。
二部分鋳型を予熱して分割した。下方部分を15 μのPUホイルで覆って、ゴム・バンドなどで固定した。ホイルにしわがないことが重要である。鋳型の上方部分を下方部分に注意深く押しつけ上方部分の充填開口を通して丸い心金を入れてホイルを押しつけて変形させた。心金を取り出した後、PUをベースとする発泡体を、鋳型に原料を導入して形成し、充填開口をふさいで形成された発泡体が逃げ出さないようにした。温度が約50℃に約8分間保たれ、その後、鋳型を開いて装置を取り出し、さらに約55℃で約1.5時間乾燥させた。
【図面の簡単な説明】
【００４３】
【図１】図１は、浣腸液の投与のためのプローブを組み込み、人間の腸系統で肛門開口の近くに配置された本発明に係わる封止装置を示す図である。
【図２】図２a-２eは、封止装置の材料と封止エレメントのいろいろな組み合わせの原理を示しており、それぞれが本発明に係わる封止装置を構成している。
【図３】図３は、本発明に係わる封止装置を示す。
【図４】図４は、人の肛門管に挿入されるときのドーム型封止装置の形態を示す。
【図５】図５は、ドーム型封止装置の別のプロフィールを示す。
【図１】
2005524417.tif 000004
【図３】
2005524417.tif 000005
【図２ａ】
2005524417.tif 000006
【図２ｂ】
2005524417.tif 000007
【図２ｃ】
2005524417.tif 000008
【図２ｄ】
2005524417.tif 000009
【図２ｅ】
2005524417.tif 000010
【図４】
2005524417.tif 000011
【図５ａ】
2005524417.tif 000012
【図５ｂ】
2005524417.tif 000013
【図５ｃ】
2005524417.tif 000014
【国際調査報告】
2005524417.tif 000015
2005524417.tif 000016
2005524417.tif 000017
2005524417.tif 000018